(57)【要約】【課題】展示陳列物の情報を複数人が同時に取得できる展示情報送受信システムと複製制限がかけられた展示陳列物の情報を複製権限をもつ利用者が複製できる展示情報送受信システムを提供する。【解決手段】展示陳列物の傍に通信装置と記録装置を備えた展示情報送信装置を置く。利用者は通信装置と記録装置を備えた展示情報受信装置をもつ。利用者が展示情報受信装置から情報取得要求を行うと、展示情報受信装置の通信装置と展示情報送信装置の通信装置が通信を行い展示陳列物の情報を展示情報受信装置に複製する。展示情報送信装置と展示情報受信装置に複製制限装置が付加されている場合は複製が許諾されている展示情報受信装置に対してのみ展示陳列物に関する情報の複製を行う。【選択図】        図１
2004328044.tif 000002
【特許請求の範囲】
【請求項１】
展示陳列物の情報を保存している展示情報記録装置と、
前記展示情報記録装置に保存されている情報を送信する有線送信装置と、
前記有線送信装置から送られてくる情報を受信する有線受信装置と、
前記有線受信装置で受信した情報を記録する情報記録装置と、からなる展示情報送受信システム。
【請求項２】
展示陳列物の情報を保存している展示情報記録装置と、
前記展示情報記録装置に保存されている情報を送信する無線送信装置と、
前記無線送信装置から送られてくる情報を受信する無線受信装置と、
前記無線受信装置で受信した情報を記録する情報記録装置と、からなる展示情報送受信システム。
【請求項３】
請求項１記載の展示情報送受信システムと、
展示情報の複製の許諾をおこなう展示情報管理装置と、展示情報の複製を請求する展示情報授与装置と、
前記展示情報管理装置と前記展示情報授与装置の間で複製権限情報を交換するために送受信される複製許諾制限鍵と、からなる展示情報送信システム。
【請求項４】
請求項２記載の展示情報送受信システムと、展示情報の複製の許諾をおこなう展示情報管理装置と、展示情報の複製を請求する展示情報授与装置と、
前記展示情報管理装置と前記展示情報授与装置の間で複製権限情報を交換するために送受信される複製許諾制限鍵と、からなる展示情報送信システム。
【発明の詳細な説明】
【０００１】
【発明の属する技術分野】
本発明は、展示物を展示陳列している会場において撮影や複製を制限されている展示陳列物を許諾された利用者のみに撮影や複製を許可し複製をおこなわせるシステムに関するものである。
【０００２】
【従来の技術】
デジタル媒体において著作権保護の技術や機構が整備されつつある昨今、画家や作家が制作した画像や情報はデジタル情報として配信し利用者の記録媒体に記録できるサービスが企画され実際にサービスが行われるようになってきた。
【０００３】
一方、美術館や博物館などに展示陳列してある展示陳列物の多くは撮影禁止や複製禁止であり一般の来場客は自分のカメラなどの記録媒体に記録してはならない状況がある。
【０００４】
これを解決すべく、「特開平１０−３１３４２１号」のように、展示陳列物の画像や情報を遠隔操作して展示陳列物に関する画像や情報をデジタル情報として取得できるシステムなどが考案されてきた。
【０００５】
【発明が解決しようとする課題】
しかしながら、先行技術「特開平１０−３１３４２１号」では、複数人が同時に展示陳列物の情報を取得することができないだけではなく、ＴＶに向かってリモコン操作をするが如く通信中は常にデータ発信装置の送信部とデータ受信装置の受信部を向かい合わせておかねばならないと言う不便性を含んでいる。
【０００６】
また、展示陳列物提供者が利用制限をかけたくても先行技術だけでは利用制限をかけることができないため、一度利用者が複製してしまうとその後は複製したデジタル情報を何度も複製することができてしまう。
【０００７】
本発明は、上記従来例を鑑み、展示陳列物の情報を複数人が同時に取得できる展示情報送受信装置と展示情報送受信システムと、更に前記展示情報送受信システムに複製に関する制限を行うための複製管理装置と複製管理システムを提供することを目的とする。
【０００８】
【課題を解決するための手段】
上記目的を達成するために本発明の展示情報送受信システムは以下のような構成を備える。
【０００９】
即ち、展示陳列物の情報を送受信できるシステムであって、展示物の情報を保存している展示情報記録装置と、前記展示情報記録装置に保存されている情報を送信する有線送信装置と、前記有線送信装置から送られてくる情報を受信する有線受信装置と、前記有線受信装置で受信された情報を記録する情報記録装置と、を有することを特徴とする。
【００１０】
上記目的を達成するために本発明の展示情報送受信システムは以下のような構成を備える。即ち、展示陳列物の情報を送受信できるシステムであって、展示物の情報を保存している展示情報記録装置と、前記展示情報記録装置に保存されている情報を送信する無線送信装置と、前記無線送信装置から送られてくる情報を受信する無線受信装置と、前記無線受信装置で受信された情報を記録する情報記録装置と、を有することを特徴とする。
【００１１】
上記目的を達成するため日本発明の展示情報送信システムは以下のような構成を備える。即ち、展示陳列物の情報を送受信できるシステムであって、展示物の情報を保存している展示情報記録装置と、前記展示情報記録装置に保存されている情報を送信する有線送信装置と、前記有線送信装置から送られてくる情報を受信する有線受信装置と、前記有線受信装置で受信された情報を記録する情報記録装置と、展示情報の複製の許諾を行う展示情報管理装置と、展示情報の複製を請求する展示情報授与装置と、前記展示情報管理装置と前記展示情報授与装置の間で複製権限情報を交換するために送受信される複製許諾制限鍵と、を有することを特徴とする。
【００１２】
上記目的を達成するため日本発明の展示情報送信システムは以下のような構成を備える。
【００１３】
即ち、展示陳列物の情報を送受信できるシステムであって、展示物の情報を保存している展示情報記録装置と、前記展示情報記録装置に保存されている情報を送信する無線送信装置と、前記無線送信装置から送られてくる情報を受信する無線受信装置と、前記無線受信装置で受信された情報を記録する情報記録装置と、展示情報の複製の許諾を行う展示情報管理装置と、展示情報の複製を請求する展示情報授与装置と、前記展示情報管理装置と前記展示情報授与装置の間で複製権限情報を交換するために送受信される複製許諾制限鍵と、を有することを特徴とする。
【００１４】
【発明の実施の形態】
以下、添付図面を参照して本発明の好適な実施の形態を詳細に説明する。
【００１５】
以下簡単に本実施の形態の概要を述べると、本実施の形態では、展示陳列物に関する情報を利用者が所持している記録媒体に複製・保存できるシステムの提供を図るものである。
【００１６】
（第１の実施例）
＜展示情報送受信システムの概要図（図１）＞
本発明の実施の形態に関わる展示情報送受信システムを、簡易に実現する例をあげる。
【００１７】
図１は、本実施形態の展示情報送受信システムの概要図である。
【００１８】
展示陳列物の傍に展示情報送信装置（１１）を置く。
【００１９】
展示情報送信装置（１１）は、展示情報記録装置（１２）と有線送信装置（１４）とで構成される。
【００２０】
展示陳列物の情報が欲しい利用者は展示情報受信装置（１６）を持っており、展示情報受信装置（１６）は有線受信装置（１７）と情報記録装置（１９）とで構成される。
【００２１】
まず、展示陳列物の情報が欲しい利用者は、展示情報送信装置（１１）と展示情報受信装置（１６）を有線（１５）で接続する。
【００２２】
展示情報送信装置（１１）は展示情報受信装置（１６）と接続されたと認識した場合、展示情報記録装置（１２）から展示陳列物に関する情報を読み込み（１３）、有線送信装置（１４）を使って展示情報受信装置（１６）に展示陳列物に関する情報を送信する（１５）。
【００２３】
展示情報受信装置（１６）は展示情報送信装置（１１）と接続されたと認識した場合、有線（１５）を経由して伝達される展示陳列物に関する情報を有線受信装置（１７）を用いて受信し、受信した天地陳列物に関する情報を情報記録装置（１９）に保存する（１８）。
【００２４】
有線送信装置（１４）が複数の有線端子を有している場合は、複数の展示情報受信装置（１６）の有線受信装置（１７）とそれぞれ有線接続することができ、展示情報送信装置（１１）はそれぞれの展示情報受信装置（１６）と並列に通信をおこない展示陳列物に関する情報を送信することができる。
【００２５】
この結果、従来の技術と比較すると、利用者が写真を撮るかパンフレットなどの資料を配付してもらわなければ利用者は展示陳列物に関する情報を得ることができなかったが、利用者が所持している記憶媒体である展示情報受信装置に展示陳列物に関する情報を電子情報として複製保存することができるようになる。
【００２６】
また、展示情報送信装置の有線端子の数が多ければ多いほど、複数の利用者の展示情報受信装置に対して同時に展示陳列物の情報を配信することができるようになる。
【００２７】
（第２の実施例）
＜展示情報送受信システムの概要図（図２）＞
本発明の実施の形態に関わる展示情報送受信システムを、簡易に実現する例をあげる。
【００２８】
図２は、本実施形態の展示情報送受信システムの概要図である。
【００２９】
展示陳列物の傍に展示情報送信装置（２１）を置く。
【００３０】
展示情報送信装置（２１）は、展示情報記録装置（２２）と無線送信装置（２４）とで構成される。
【００３１】
展示陳列物の情報が欲しい利用者は展示情報受信装置（２６）を持っており、展示情報受信装置（２６）は無線受信装置（２７）と情報記録装置（２９）とで構成される。
【００３２】
まず、展示陳列物の情報が欲しい利用者は、展示情報送信装置（２１）と展示情報受信装置（２６）を無線（２５）で接続する。
【００３３】
展示情報送信装置（２１）は展示情報受信装置（２６）と接続されたと認識した場合、展示情報記録装置（２２）から展示陳列物に関する情報を読み込み（２３）、無線送信装置（２４）を使って展示情報受信装置（２６）に展示陳列物に関する情報を送信する（２５）。
【００３４】
展示情報受信装置（２６）は展示情報送信装置（２１）と接続されたと認識した場合、無線（２５）を経由して伝達される展示陳列物に関する情報を無線受信装置（２７）を用いて受信し、受信した天地陳列物に関する情報を情報記録装置（２９）に保存する（２８）。
【００３５】
無線送信装置（２４）が複数の無線チャンネルを有している場合、複数の展示情報受信装置（２６）の無線受信装置（２７）とそれぞれ無線通信でき、展示情報送信装置（２１）はそれぞれの展示情報受信装置（２６）と並列に通信をおこない展示陳列物に関する情報の送信することができる。
【００３６】
この結果、従来の技術と比較すると、有線で接続することもなければ通信装置同士を向かい合わせる必要無しに、利用者が所持している記憶媒体である展示情報受信装置に展示陳列物に関する情報を電子情報として複製保存することができるようになる。
【００３７】
また、展示情報送信装置が有する無線チャンネルの数が多ければ多いほど、複数の利用者の展示情報受信装置に対して同時に展示陳列物の情報を配信することができるようになる。
【００３８】
（第３の実施例）
＜展示情報送受信システムの概要図（図３）＞
本発明の実施の形態に関わる展示情報送受信システムを、簡易に実現する例をあげる。
【００３９】
図３は、本実施形態の展示情報送受信システムの概要図である。
【００４０】
展示陳列物の傍に展示情報送信装置（３０１）を置く。
【００４１】
展示情報送信装置（３０１）は、展示情報記録装置（３０７）と有線通信装置（３０９）と展示情報管理装置（３０４）とで構成される。
【００４２】
展示陳列物の情報が欲しい利用者は展示情報受信装置（３１１）を持っており、展示情報受信装置（３１１）は有線通信装置（３１４）と情報記録装置（３１２）と展示情報授与装置（３１８）で構成される。
【００４３】
まず、展示陳列物の情報が欲しい利用者は展示情報送信装置（３０１）と展示情報受信装置（３１１）を有線（３１０）で接続する。
【００４４】
展示情報送信装置（３０１）は展示情報受信装置（３１１）と接続されたと認識した場合、複製許諾されている展示情報受信装置かどうかを確認するために、有線通信装置（３０９）から有線通信装置（３１４）に対して複製許諾制限鍵（３１６）の要求を行う。
【００４５】
展示情報受信装置（３１１）は展示情報送信装置（３０１）から複製許諾制限鍵（３１６）の要求を受信すると、展示情報授与装置（３１８）は複製許諾制限鍵（３１６）を読み込み（３１７）、有線通信装置（３１４）に複製許諾制限鍵を渡し（３１５）、有線通信装置（３１４）は複製許諾制限鍵（３１６）を有線（３１０）を経由して展示情報送信装置（３０１）の有線通信装置（３０９）に送信する。
【００４６】
展示情報受信装置（３１１）の複製許諾制限鍵（３１６）を受信した展示情報送信装置（３０１）の有線通信装置（３０９）は、展示情報管理装置（３０４）に展示情報受信装置（３１１）の複製許諾制限鍵（３１６）を渡す（３０５）。
【００４７】
展示情報送信装置（３０１）の展示情報管理装置（３０４）は、展示情報送信装置（３０１）が所持している複製許諾制限鍵（３０２）を参照し（３０３）、展示情報受信装置（３１１）の複製許諾制限鍵（３１６）との照合を行い、複製許諾が許可されていると判別した場合は有線通信装置（３０９）に対して展示情報の転送を命令し、複製許諾が許可されていないと判別した場合は有線通信装置（３０９）に対して複製拒否を命令する（３０６）。
【００４８】
展示情報送信装置（３０１）の有線通信装置（３０９）は、展示情報管理装置（３０４）から受け取った複製許諾の照合結果（３０６）から、複製許諾が許可されている場合は展示情報記録装置（３０７）から展示陳列物に関する情報を入手して（３０８）、展示情報受信装置（３１１）に展示陳列物に関する情報を転送し（３１０）、複製許諾が拒否された場合は展示情報受信装置（３１１）に対して情報複製の拒否を行う（３１０）。
【００４９】
展示情報受信装置（３１１）の有線通信装置（３１４）は、展示情報送信装置（３０１）が展示陳列物に関する情報を送信し始めた場合は、受け取った展示陳列物に関する情報を情報記録装置（３１２）に転送し保存作業を行い（３１３）、展示情報送信装置（３０１）が複製拒否を通知してきた場合は、展示情報送信装置（３０１）との通信を終了する。
【００５０】
展示情報送信装置（３０１）の有線通信装置（３０９）が複数の有線端子を有している場合は、複数の展示情報受信装置（３１１）の有線通信装置（３１４）とそれぞれ有線接続することができ、展示情報送信装置（３０１）はそれぞれの展示情報受信装置（３１１）と並列に通信をおこない展示陳列物に関する情報を送信することができる。
【００５１】
この結果、従来の技術と比較すると、利用者が所持している記憶媒体である展示情報受信装置に展示陳列物に関する情報を電子情報として複製保存することができるようになるだけではなく、複製許諾制限鍵を用いることにより利用者の複製行為に対して制限をかけることができるようになる。
【００５２】
また、展示情報送信装置の有線端子の数が多ければ多いほど、複数の利用者の展示情報受信装置に対して同時に展示陳列物の情報を配信することができるようになる。
【００５３】
なお、例えば本実施例では、有線を用いて展示情報送信装置と展示情報受信装置を接続しているが、展示情報送信装置が所持する接続端子と展示情報受信装置が所持する接続端子が直接結合可能な場合は展示情報送信装置と展示情報受信装置を直結することが可能である事や、展示情報授与装置または複製許諾制限を行う装置が付加された情報記録装置を直接展示情報送信装置に接続して複製行為を行う事などは、この発明の応用の範疇にあることは勿論である。
【００５４】
（第４の実施例）
＜展示情報送受信システムの概要図（図４）＞
本発明の実施の形態に関わる展示情報送受信システムを、簡易に実現する例をあげる。
【００５５】
図４は、本実施形態の展示情報送受信システムの図である。
【００５６】
展示陳列物の傍に展示情報送信装置（４０１）を置く。
【００５７】
展示情報送信装置（４０１）は、展示情報記録装置（４０７）と無線通信装置（４０９）と展示情報管理装置（４０４）とで構成される。
【００５８】
展示陳列物の情報が欲しい利用者は展示情報受信装置（４１１）を持っており、展示情報受信装置（４１１）は無線通信装置（４１４）と情報記録装置（４１２）と展示情報授与装置（４１８）で構成される。
【００５９】
まず、展示陳列物の情報が欲しい利用者は展示情報送信装置（４０１）と展示情報受信装置（４１１）を無線（４１０）で接続する。
【００６０】
展示情報送信装置（４０１）は展示情報受信装置（４１１）と接続されたと認識した場合、複製許諾されている展示情報受信装置かどうかを確認するために、無線通信装置（４０９）から無線通信装置（４１４）に対して複製許諾制限鍵（４１６）の要求を行う。
【００６１】
展示情報受信装置（４１１）は展示情報送信装置（４０１）から複製許諾制限鍵（４１６）の要求を受信すると、展示情報授与装置（４１８）は複製許諾制限鍵（４１６）を読み込み（４１７）、無線通信装置（４１４）に複製許諾制限鍵を渡し（４１５）、無線通信装置（４１４）は複製許諾制限鍵（４１６）を無線（４１０）を経由して展示情報送信装置（４０１）の無線通信装置（４０９）に送信する。
【００６２】
展示情報受信装置（４１１）の複製許諾制限鍵（４１６）を受信した展示情報送信装置（４０１）の無線通信装置（４０９）は、展示情報管理装置（４０４）に展示情報受信装置（４１１）の複製許諾制限鍵（４１６）を渡す（４０５）。
【００６３】
展示情報送信装置（４０１）の展示情報管理装置（４０４）は、展示情報送信装置（４０１）が所持している複製許諾制限鍵（４０２）を参照し（４０３）、展示情報受信装置（４１１）の複製許諾制限鍵（４１６）との照合を行い、複製許諾が許可されていると判別した場合は無線通信装置（４０９）に対して展示情報の転送を命令し、複製許諾が許可されていないと判別した場合は無線通信装置（４０９）に対して複製拒否を命令する（４０６）。
【００６４】
展示情報送信装置（４０１）の無線通信装置（４０９）は、展示情報管理装置（４０４）から受け取った複製許諾の照合結果（４０６）から、複製許諾が許可されている場合は展示情報記録装置（４０７）から展示陳列物に関する情報を入手して（４０８）、展示情報受信装置（４１１）に展示陳列物に関する情報を転送し（４１０）、複製許諾が拒否された場合は展示情報受信装置（４１１）に対して情報複製の拒否を行う（４１０）。
【００６５】
展示情報受信装置（４１１）の無線通信装置（４１４）は、展示情報送信装置（４０１）が展示陳列物に関する情報を送信し始めた場合は、受け取った展示陳列物に関する情報を情報記録装置（４１２）に転送し保存作業を行い（４１３）、展示情報送信装置（４０１）が複製拒否を通知してきた場合は、展示情報送信装置（４０１）との通信を終了する。
【００６６】
展示情報送信装置（４０１）の無線通信装置（４０９）が複数の無線チャンネルを有している場合は、複数の展示情報受信装置（４１１）の無線通信装置（４１４）とそれぞれ無線接続することができ、展示情報送信装置（４０１）はそれぞれの展示情報受信装置（４１１）と並列に通信をおこない展示陳列物に関する情報を送信することができる。
【００６７】
この結果、従来の技術と比較すると、有線で接続することもなければ通信装置同士を向かい合わせる必要無しに、利用者が所持している記憶媒体である展示情報受信装置に展示陳列物に関する情報を電子情報として複製保存することができるようになるだけではなく、複製許諾制限鍵を用いることにより利用者の複製行為に対して制限をかけることができるようになる。
【００６８】
また、展示情報送信装置が有する無線チャンネルの数が多ければ多いほど、複数の利用者の展示情報受信装置に対して同時に展示陳列物の情報を配信することができるようになる。
【００６９】
（第５の実施例）
第４の実施例を、応用した例をあげる。
【００７０】
＜美術館での展示情報送受信システムの概要図（図５）＞
図５は、美術館における展示情報送受信システムの概要図である。
【００７１】
無線通信方式には様々な方式があるが、この実施例ではＢｌｕｅｔｏｏｔｈを例に用いる。
【００７２】
各絵画（５０４）、（５０９）、（５１３）、（５１８）、（５２０）の背面にはそれぞれ展示情報送信装置を埋め込んでおく。
【００７３】
各絵画（５０４）、（５０９）、（５１３）、（５１８）、（５２０）の展示情報送信装置からは、それぞれＢｌｕｅｔｏｏｔｈ信号（５０５）、（５１０）、（５１４）、（５１９）、（５２１）を発している。
【００７４】
美術館の来場者は、Ｂｌｕｅｔｏｏｔｈに対応したデジタルカメラや携帯端末等の記録媒体を所持して持ち歩くものとし、美術館の館内は撮影禁止になっているものとする。
【００７５】
展示してある絵画の画像や絵画に関する情報を入手したい来場者は、所持している記録媒体（５０２）を各絵画の背面に埋め込まれた展示情報送信装置を管理しているコンピュータ（５０１）に登録しＢｌｕｅｔｏｏｔｈで通信できるようにする。
【００７６】
美術館側は来場者の記録媒体（５０２）をコンピュータ（５０１）に登録する際、課金を行い各絵画の肖像権や著作権に対する対価を来場者に支払ってもらうことにより複製許諾制限鍵を記録媒体（５０２）に与える（５０３）。
【００７７】
来場者が絵画（５０４）の付近を訪れた時、記録媒体（５０６）が絵画（５０４）の展示情報送信装置から発せられるＢｌｕｅｔｏｏｔｈ信号（５０５）の信号圏内に入った場合、絵画（５０４）の展示情報送信装置と記録媒体（５０６）は通信可能状態に入る。
【００７８】
来場者が記録媒体（５０６）の情報取得ボタンを押下すると、記録媒体（５０６）は展示情報取得要求を絵画（５０４）の展示情報送信装置に送信し、絵画（５０４）の展示情報送信装置は記録媒体（５０６）が複製許諾制限鍵を所持し且つ複製が許諾されていることを確認した後、絵画（５０４）の展示情報送信装置は記録媒体（５０６）に対して絵画（５０４）の画像データと絵画（５０４）に関する関連情報を送信し、記録媒体（５０６）は絵画（５０４）の展示情報送信装置から送られてくる絵画（５０４）の画像データと関連情報を記録する（５０７）。
【００７９】
来場者が絵画（５０４）の展示情報送信装置が発するＢｌｕｅｔｏｏｔｈ信号の信号圏外に移動したとき、絵画（５０４）の展示情報送信装置との通信は終了し、記録媒体は通信不可能状態となる（５０８）。
【００８０】
来場者が絵画（５０９）の付近を訪れた時、記録媒体（５１１）が絵画（５０９）の展示情報送信装置が発するＢｌｕｅｔｏｏｔｈ信号（５１０）の信号圏内に入った場合、絵画（５０９）の展示情報送信装置と記録媒体（５１１）は通信可能状態に入る。
【００８１】
来場者が記憶媒体（５１１）の情報取得ボタンを押下した場合、絵画（５０４）の展示情報送信装置と記録媒体（５０６）が画像データと関連情報の送受信を行った時と同様の動作が行われ（５１２）、来場者が記録媒体（５１１）の情報取得ボタンを押下しない場合は記録媒体（５１０）には絵画（５０９）に関する関連情報や画像データは保存されない。
【００８２】
絵画（５１３）と絵画（５１８）は接近しており、それぞれ展示情報送信装置からＢｌｕｅｔｏｏｔｈ信号（５１４）と（５１９）が発信されている。
【００８３】
来場者が絵画（５１３）と絵画（５１８）の間に移動した時、記録媒体（５１５）は絵画（５１３）の展示情報送信装置と通信可能状態になり（５１６）、絵画（５１８）の展示情報装置とも通信可能状態になる（５１７）。
【００８４】
このように記録媒体が複数の展示情報送信装置と通信可能状態になった場合、記録媒体に通信先を指定できる機能がある場合は来場者がどの絵画情報を取得するか選択することができ、記録媒体に通信先を指定する機能がない場合は記録媒体の通信先はＢｌｕｅｔｏｏｔｈ信号の電界強度が強い方の展示情報送信装置が選択される。
【００８５】
美術館の出口付近には、展示情報送信装置を制御しているコンピュータ（５０１）と繋がった複製許諾鍵除去装置（５２２）を設置する。
【００８６】
複製許諾鍵除去装置（５２２）は、来場者が出口付近に移動し複製許諾鍵除去装置（５２２）が発しているＢｌｕｅｔｏｏｔｈ信号（５２３）の信号圏内に入ったら、来場者が所持している記録媒体（５２４）と通信し、記録媒体（５２４）に登録された複製許諾制限鍵を無効にする（５２５）。
【００８７】
複製許諾鍵除去装置（５２２）により、一度美術館の外に出た来場者は再入場しても新たに記録媒体をコンピュータ（５０１）に登録して複製許諾制限鍵を再取得しない限り各絵画の画像データや関連情報を取得することができなくなり、美術館側は厳密な課金管理と著作物の利用制限を行うことができる。
【００８８】
次に、図６を用いて展示情報送受信システムにおける通信処理を説明する。
【００８９】
＜美術館での展示情報送受信システムの通信処理のフローチャート（図６）＞
展示情報処理装置（６０１）は常に展示情報受信装置（６０２）からの接続要求を待っている。
【００９０】
展示情報受信装置（６０２）は、利用者が展示情報を取得したいという操作を行ったとき、接続要求を展示情報送信装置（６０１）に行う（Ｓ６０３）。
【００９１】
展示情報送信装置（６０１）は展示情報受信装置（６０２）から接続要求（Ｓ６０３）を受信したら、複製許諾制限鍵を要求する（Ｓ６０４）。
【００９２】
展示情報受信装置（６０２）は、展示情報送信装置（６０１）から要求された複製許諾制限鍵を送信する（Ｓ６０５）。
【００９３】
展示情報送信装置（６０１）は、展示情報受信装置（６０２）から受信した複製許諾制限鍵を照合し、展示情報受信装置が複製許諾を受けている端末かどうか確認し（６０６）、照合結果を展示情報受信装置（６０２）に送信する（Ｓ６０７）。
【００９４】
展示情報受信装置（６０２）は、展示情報送信装置（６０１）から受信した複製許諾制限鍵の照合結果から展示情報の複製が許可されたかどうかを確認する（６０８）。
【００９５】
展示情報受信装置（６０２）が展示情報の複製を拒否された場合は、展示情報受信装置（６０２）は通信の終了処理を行い（６０９）、展示情報送信装置（６０１）は回線の切断を行う（Ｓ６１３）。
【００９６】
展示情報受信装置（６０２）が展示情報の複製を許可された場合は、展示情報送信装置（６０１）に展示情報の送信を要求する（Ｓ６１０）。
【００９７】
展示情報送信装置（６０１）は、展示情報受信装置（６０２）から展示情報送信要求（Ｓ６１１）を受信したら、展示情報を展示情報受信装置（６０２）に送信する（Ｓ６１１）。
【００９８】
展示情報受信装置（６０２）は、要求した展示情報の取得が全て完了したとき、展示情報送信装置（６０１）に展示情報受信完了を通知し（Ｓ６１２）、通信処理を終了する。
【００９９】
展示情報送信装置（６０１）は、展示情報受信装置（６０２）から展示情報受信完了通知（Ｓ６１２）を受信したら回線の切断を行い（Ｓ６１３）、次の接続要求を待つ。
【０１００】
このように、展示情報送信装置と展示情報受信装置は必要最低限の通信処理のみ行い、展示情報送信装置は１回あたりの通信時間を最小にして多くの展示情報受信装置と通信できるようになっている。
【０１０１】
また、各絵画から記録媒体に複製された画像データや関連情報の中には、電子すかし技術等を用いて暗号データを挿入しておく。
【０１０２】
予め画像データや関連情報に暗号データを挿入しておくことは、複製された絵画の画像データや関連情報の再配布に関して制限を設けるものであり、著作権・肖像権の保護を行うためである。
【０１０３】
また、各展示情報送信装置はＢｌｕｅｔｏｏｔｈ規格の範疇内において、複数の記録媒体と同時に送受信を行うことができ、それぞれの記録媒体に割り与えられた複製許諾制限鍵を照合して複製動作に関する通信をおこなうことができる。
【０１０４】
また、各展示情報送信装置はＢｌｕｅｔｏｏｔｈ規格の範疇内において、記録媒体の仕様や記録領域の残容量を知ることができ、各記録媒体の性能に合わせて画像データのサイズや関連情報の詳細度を変更し送信することができる。
【０１０５】
また、記録媒体は記録媒体の仕様や記録領域の残容量に応じて、展示情報送信装置から複製取得する画像データのサイズや関連情報を選択することができる。
【０１０６】
また、来場者が所持している記録媒体が登録済みであることを館内の監視員が認識できるように、来場者に対してステッカーやバッジなどで登録済みであることを表す手段を講じることで、Ｂｌｕｅｔｏｏｔｈに対応していない記録媒体を所持している来場者が不正に画像を撮影する行為や情報を記録する行為を防ぐことができる。
【０１０７】
また、来場者が所持している記録媒体がＢｌｕｅｔｏｏｔｈに対応しているのに展示情報送信装置を管理しているコンピュータ（５０１）に登録しなかった場合、各展示情報送信装置は未登録の記録媒体に対し複製拒否の信号を発して記録媒体を記録不可能状態にし、記録媒体に対して利用登録するよう警告を促すことができる。
【０１０８】
なお、この発明は上記実施例に限定されず、この発明を逸脱しない範囲内において種種変形応用可能である。
【０１０９】
例えば、本実施例では、Ｂｌｕｅｔｏｏｔｈ方式を用いた無線通信を例示したが、ＩＥＥＥ８０２．１１など複数の無線通信方式を混在させた展示情報送受信システムは、この発明の応用の範疇にあることは勿論である。
【０１１０】
例えば、本実施例では、来場者が記録媒体から複製要求を行うが、展示情報送信装置が記録媒体を自動的に認識し情報を転送する事は、この発明の応用の範疇にあることは勿論である。
【０１１１】
例えば、本実施例では、館内に入場する前に記録媒体の登録と課金を行ったが、展示陳列物ごとに登録と課金を行えるようにする方法や、館内から退場する際に複製した情報に対して後からまとめて課金すること方法は、この発明の応用の範疇にあることは勿論である。
【０１１２】
また、例えば、本実施例では入場の際に記録媒体を登録し課金をおこなえば一律に各展示陳列物の情報を複製することができたが、来場者が支払う料金に応じて複製できる情報に制限をかけることも、この発明の応用の範疇にあることは勿論である。
【０１１３】
また、例えば、本実施例では美術館を例に用いたが、展示陳列物を展示している博物館や図書館、資料館はもとより各種イベント会場やショールーム、機密情報を扱っている部門などへの展示情報送受信システムの導入・運営に関しても、この発明の応用の範疇にあることは勿論である。
【０１１４】
【発明の効果】
以上説明したように本発明によれば先ず、展示陳列物に関する情報を複数人が同時にかつ容易に複製・保存できる効果がある。
【０１１５】
また、本発明によれば、展示陳列物の複製制限管理を行うことができるので著作権保護をおこなうことができる効果がある。
【図面の簡単な説明】
【図１】本発明の実施例１における展示情報送受信システムの概要を表す図である。
【図２】本発明の実施例２における展示情報送受信システムの概要を表す図である。
【図３】本発明の実施例３における展示情報送受信システムの概要を表す図である。
【図４】本発明の実施例４における展示情報送受信システムの概要を表す図である。
【図５】本発明の実施例５における展示情報送受信システムの概要を表す図である。
【図６】本発明の実施例５における展示情報送受信システムの通信処理を表す図である。
【図１】
2004328044.tif 000003
【図２】
2004328044.tif 000004
【図３】
2004328044.tif 000005
【図４】
2004328044.tif 000006
【図５】
2004328044.tif 000007
【図６】
2004328044.tif 000008